(57)【要約】【課題】通信システムにおいて規定された信号フォーマットの変更を少なくしながら、基地局装置に関する情報を端末装置へ通知する技術を提供する。【解決手段】基地局装置１４は、蓄電池によって駆動される。通信部６０は、基地局間通信によって他の基地局装置と通信するとともに、端末装置とも通信可能である。設定部１１０は、蓄電池の残量をもとに、本基地局装置１４を識別するための第１ＳＳＩＤとは異なった第２ＳＳＩＤを設定する。生成部１１２は、設定した第２ＳＳＩＤと、本基地局装置１４に付与されたＭＡＣアドレスと、端末装置に通知すべき情報とが含まれたビーコン信号を生成する。通信部６０は、ビーコン信号を報知する。処理部６２は、生成したビーコン信号を受信した端末装置との間で第１ＳＳＩＤによる接続処理を実行する。【選択図】図１２
2011223550.tif 000002
【特許請求の範囲】
【請求項１】
蓄電池によって駆動される基地局装置であって、
基地局間通信によって他の基地局装置と通信するとともに、端末装置とも通信可能な通信部と、
蓄電池の残量をもとに、本基地局装置を識別するための第１ＳＳＩＤとは異なった第２ＳＳＩＤを設定する設定部と、
前記設定部において設定した第２ＳＳＩＤと、本基地局装置に付与されたＭＡＣアドレスと、端末装置に通知すべき情報とが含まれたビーコン信号を生成し、ビーコン信号を前記通信部に報知させる生成部と、
前記生成部において生成したビーコン信号を受信した端末装置との間で第１ＳＳＩＤによる接続処理を実行する処理部とを備え、
前記生成部は、ビーコン信号に第１ＳＳＩＤを含めず、
前記処理部における接続処理の対象となる端末装置では、ＭＡＣアドレスと第１ＳＳＩＤとの対応が予め認識されており、ビーコン信号に含まれたＭＡＣアドレスから本基地局装置の第１ＳＳＩＤが特定されていることを特徴とする基地局装置。
【請求項２】
蓄電池によって駆動される基地局装置であって、
基地局間通信によって他の基地局装置と通信するとともに、端末装置とも通信可能な通信部と、
前記通信部での基地局間通信によって形成された経路におけるホップ数をもとに、本基地局装置を識別するための第１ＳＳＩＤとは異なった第２ＳＳＩＤを設定する設定部と、
前記設定部において設定した第２ＳＳＩＤと、本基地局装置に付与されたＭＡＣアドレスと、端末装置に通知すべき情報とが含まれたビーコン信号を生成し、ビーコン信号を前記通信部に報知させる生成部と、
前記生成部において生成したビーコン信号を受信した端末装置との間で第１ＳＳＩＤによる接続処理を実行する処理部とを備え、
前記生成部は、ビーコン信号に第１ＳＳＩＤを含めず、
前記処理部における接続処理の対象となる端末装置では、ＭＡＣアドレスと第１ＳＳＩＤとの対応が予め認識されており、ビーコン信号に含まれたＭＡＣアドレスから本基地局装置の第１ＳＳＩＤが特定されていることを特徴とする基地局装置。
【請求項３】
前記通信部での基地局間通信によって形成された経路に含まれた各他の基地局装置を駆動させている蓄電池の残量に関する情報を取得する取得部と、
前記取得部において取得した情報をもとに、経路における残量を導出する導出部と、
前記導出部において導出した残量をもとに、ビーコン信号の報知周期を決定する決定部とをさらに備え、
前記通信部は、前記決定部において決定した報知周期にて、ビーコン信号を報知することを特徴とする請求項２に記載の基地局装置。
【請求項４】
蓄電池の残量に関する情報を取得する取得部と、
前記取得部において取得した残量に関する情報をもとに、ビーコン信号の報知周期を決定する決定部とをさらに備え、
前記通信部は、前記決定部において決定した報知周期にて、ビーコン信号を報知することを特徴とする請求項２に記載の基地局装置。
【請求項５】
前記決定部は、残量がしきい値よりも小さくなると、ビーコン信号の報知停止を決定することを特徴とする請求項３または４に記載の基地局装置。
【請求項６】
蓄電池によって駆動される基地局装置であって、
基地局間通信によって他の基地局装置と通信するとともに、端末装置とも通信可能な通信部と、
前記通信部での基地局間通信によって形成された経路に含まれた各他の基地局装置を駆動させている蓄電池の残量に関する情報を取得する取得部と、
前記取得部において取得した情報をもとに、経路における残量を導出する導出部と、
前記導出部において導出した残量をもとに、ビーコン信号の報知周期を決定する決定部とを備え、
前記通信部は、前記決定部において決定した報知周期にて、端末装置に報知すべき情報が含まれたビーコン信号を報知することを特徴とする基地局装置。
【請求項７】
前記導出部は、経路における残量として、複数の蓄電池の残量に対する統計処理値を導出することを特徴とする請求項６に記載の基地局装置。
【請求項８】
前記導出部は、経路における残量として、複数の蓄電池の残量のうちのひとつを選択することを特徴とする請求項６に記載の基地局装置。
【請求項９】
蓄電池によって駆動される基地局装置であって、
基地局間通信によって他の基地局装置と通信するとともに、端末装置とも通信可能な通信部と、
蓄電池の残量に関する情報を取得する取得部と、
前記取得部において取得した残量に関する情報をもとに、ビーコン信号の報知周期を決定する決定部とを備え、
前記通信部は、前記決定部において決定した報知周期にて、端末装置に報知すべき情報が含まれたビーコン信号を報知することを特徴とする基地局装置。
【請求項１０】
前記決定部は、残量がしきい値よりも小さくなると、ビーコン信号の報知停止を決定することを特徴とする請求項６から９のいずれかに記載の基地局装置。
【発明の詳細な説明】
【技術分野】
【０００１】
本発明は、通信技術に関し、特に無線ネットワークにて接続された基地局装置に関する。
【背景技術】
【０００２】
近年、新たな発電装置として、太陽光発電装置が注目されている。このような太陽光発電装置は、さまざまなシステムに適用される。例えば、カメラ付防犯監視システムでは、太陽光発電装置で発電した電力が蓄電池に充電され、当該電力がネットワークカメラおよび投光器の電源とされる。また、ネットワークカメラは、携帯型電話回線経由でインターネットに接続される。このような構成において、侵入が発生した場合、投光器で侵入者を照らし、ネットワークカメラで撮影された映像が、設定先に電子メールで通報される（例えば、特許文献１参照）。
【先行技術文献】
【特許文献】
【０００３】
【特許文献１】特開２００８−１６７０４７号公報
【発明の概要】
【発明が解決しようとする課題】
【０００４】
太陽光発電装置と蓄電池とが街路灯に設置されると、街路灯単独で電源が供給され、街路灯への電源ケーブル等が不要になる。その結果、街路灯の設置が容易になる。複数の街路灯の点灯や消灯などを制御するためには、各街路灯へ制御信号を送信する必要がある。制御信号を送信するためのケーブルを省略するために、無線ＬＡＮ（Ｌｏｃａｌ  Ａｒｅａ  Ｎｅｔｗｏｒｋ）のような無線通信システムが適している。つまり、街路灯には、基地局装置や端末装置が設置される。無線通信システムにおける通信を効率的に実行するためには、例えば、基地局装置や端末装置が階層的に配置される。
【０００５】
そのため、複数の基地局装置によって基地局間通信が実行され、各基地局装置に少なくともひとつの端末装置が接続される。このような構成において、端末装置が、複数の基地局装置に接続可能である場合、端末装置にとって適した基地局装置を選択する方が好ましい。端末装置にとって適した基地局装置とは、例えば、蓄電池の残量が多い基地局装置や、基地局通信のホップ数が少なくなる経路に含まれる基地局装置である。このような基地局装置を選択するために、基地局装置から端末装置へ何らかの情報が送信されるべきである。一方、無線ＬＡＮにおいて規定された信号フォーマットへの変更は少ない方が好ましい。
【０００６】
本発明はこうした状況に鑑みてなされたものであり、その目的は、通信システムにおいて規定された信号フォーマットの変更を少なくしながら、基地局装置に関する情報を端末装置へ通知する技術を提供することである。
【課題を解決するための手段】
【０００７】
上記課題を解決するために、本発明のある態様の基地局装置は、蓄電池によって駆動される基地局装置であって、基地局間通信によって他の基地局装置と通信するとともに、端末装置とも通信可能な通信部と、蓄電池の残量をもとに、本基地局装置を識別するための第１ＳＳＩＤとは異なった第２ＳＳＩＤを設定する設定部と、設定部において設定した第２ＳＳＩＤと、本基地局装置に付与されたＭＡＣアドレスと、端末装置に通知すべき情報とが含まれたビーコン信号を生成し、ビーコン信号を通信部に報知させる生成部と、生成部において生成したビーコン信号を受信した端末装置との間で第１ＳＳＩＤによる接続処理を実行する処理部とを備える。生成部は、ビーコン信号に第１ＳＳＩＤを含めず、処理部における接続処理の対象となる端末装置では、ＭＡＣアドレスと第１ＳＳＩＤとの対応が予め認識されており、ビーコン信号に含まれたＭＡＣアドレスから本基地局装置の第１ＳＳＩＤが特定されている。
【０００８】
本発明の別の態様もまた、基地局装置である。この装置は、蓄電池によって駆動される基地局装置であって、基地局間通信によって他の基地局装置と通信するとともに、端末装置とも通信可能な通信部と、通信部での基地局間通信によって形成された経路におけるホップ数をもとに、本基地局装置を識別するための第１ＳＳＩＤとは異なった第２ＳＳＩＤを設定する設定部と、設定部において設定した第２ＳＳＩＤと、本基地局装置に付与されたＭＡＣアドレスと、端末装置に通知すべき情報とが含まれたビーコン信号を生成し、ビーコン信号を通信部に報知させる生成部と、生成部において生成したビーコン信号を受信した端末装置との間で第１ＳＳＩＤによる接続処理を実行する処理部とを備える。生成部は、ビーコン信号に第１ＳＳＩＤを含めず、処理部における接続処理の対象となる端末装置では、ＭＡＣアドレスと第１ＳＳＩＤとの対応が予め認識されており、ビーコン信号に含まれたＭＡＣアドレスから本基地局装置の第１ＳＳＩＤが特定されている。
【０００９】
本発明のさらに別の態様もまた、基地局装置である。この装置は、蓄電池によって駆動される基地局装置であって、基地局間通信によって他の基地局装置と通信するとともに、端末装置とも通信可能な通信部と、通信部での基地局間通信によって形成された経路に含まれた各他の基地局装置を駆動させている蓄電池の残量に関する情報を取得する取得部と、取得部において取得した情報をもとに、経路における残量を導出する導出部と、導出部において導出した残量をもとに、ビーコン信号の報知周期を決定する決定部とを備える。通信部は、決定部において決定した報知周期にて、端末装置に報知すべき情報が含まれたビーコン信号を報知する。
【００１０】
本発明のさらに別の態様もまた、基地局装置である。この装置は、蓄電池によって駆動される基地局装置であって、基地局間通信によって他の基地局装置と通信するとともに、端末装置とも通信可能な通信部と、蓄電池の残量に関する情報を取得する取得部と、取得部において取得した残量に関する情報をもとに、ビーコン信号の報知周期を決定する決定部とを備える。通信部は、決定部において決定した報知周期にて、端末装置に報知すべき情報が含まれたビーコン信号を報知する。
【００１１】
なお、以上の構成要素の任意の組合せ、本発明の表現を方法、装置、システム、記録媒体、コンピュータプログラムなどの間で変換したものもまた、本発明の態様として有効である。
【発明の効果】
【００１２】
本発明によれば、通信システムにおいて規定された信号フォーマットの変更を少なくしながら、基地局装置に関する情報を端末装置へ通知できる。
【図面の簡単な説明】
【００１３】
【図１】本発明の実施例に係る照明システムの概要を示す図である。
【図２】図２（ａ）−（ｂ）は、図１の照明装置の構成を示す図である。
【図３】図１の制御装置の構成を示す図である。
【図４】図３の記憶部に記憶されたテーブルのデータ構造を示す図である。
【図５】図１の基地局装置の構成を示す図である。
【図６】図５の取得部に記憶されたテーブルのデータ構造を示す図である。
【図７】図５の決定部に記憶されたテーブルのデータ構造を示す図である。
【図８】図５の通信部から送信されるビーコン信号のフォーマットを示す図である。
【図９】図１の端末装置の構成を示す図である。
【図１０】図１の通信システムによる通信手順を示すシーケンス図である。
【図１１】本発明の変形例に係る基地局装置の構成を示す図である。
【図１２】本発明の別の変形例に係る基地局装置の構成を示す図である。
【図１３】図１２の設定部に記憶されたテーブルのデータ構造を示す図である。
【図１４】本発明の別の変形例に係る端末装置の処理部に記憶されたテーブルのデータ構造を示す図である。
【図１５】本発明の別の変形例に係る端末装置による通信手順を示すフローチャートである。
【図１６】本発明のさらに別の変形例に係る基地局装置の設定部に記憶されたテーブルのデータ構造を示す図である。
【発明を実施するための形態】
【００１４】
本発明を具体的に説明する前に、概要を述べる。本発明の実施例は、複数の基地局装置と複数の端末装置とによって構成される照明システムに関する。複数の基地局装置は、互いに基地局間通信を実行するとともに、各基地局装置は、端末装置を接続する。ここで、基地局装置と端末装置とは、例えば、無線ＬＡＮによって接続される。また、基地局装置および端末装置のそれぞれは、太陽光発電装置に接続された照明装置に設置される。照明装置は、撮像機能を有していてもよい。さらに、照明システムを制御するための制御装置は、いずれかの基地局装置に接続される。例えば、端末装置は、複数の基地局装置を介して、制御装置に接続される。制御装置は、照明装置の蓄電池の残量に関する情報を端末装置等から受信する。また、制御装置は、端末装置等に対して、点灯を指示するための信号（以下、「点灯指示」という）を送信する。
【００１５】
前述のごとく、基地局装置は、基地局間通信を実行するとともに、端末装置との通信も実行している。そのため、基地局装置におけるトラヒックは、増加する傾向にあり、蓄電池の電力消費が大きくなりやすい。ここで、いずれかの基地局装置が、蓄電池の残量の減少によって動作を停止した場合、当該基地局装置を介して制御装置に接続している端末装置や基地局装置は、制御装置と通信できなくなる。その結果、制御装置による各照明装置の制御がなされなくなる。このような状況の発生を抑制するために、端末装置は、蓄電池の残量が多い基地局装置に接続することが好ましい。さらに、端末装置と制御装置とは、基地局間通信によって接続されているので、基地局間通信の経路には、複数の基地局装置が含まれている可能性がある。そのため、端末装置が直接接続する基地局装置における残量だけではなく、経路に含まれる複数の基地局装置における残量（以下、「経路の残量」という）も考慮されるべきである。一方、端末装置にとっては、接続すべき基地局装置を選択するために、基地局装置から、残量に関する情報を受信できる方が好ましい。また、トラヒックの増加を抑制するために、残量に関する情報を通知するために、新たな信号が規定されないことが要求される。
【００１６】
これに対応するために、本実施例に係る通信システムは、次の処理を実行する。基地局装置は、制御装置への経路を特定するとともに、経路に含まれた複数の基地局装置の残量に関する情報を取得する。基地局装置は、最小の残量を選択し、それを経路の残量とする。また、基地局装置は、経路の残量に応じて、ビーコン信号の報知周期を決定する。例えば、経路の残量が小さくなれば、報知周期が長くされる。基地局装置は、報知周期にしたがってビーコン信号を報知する。端末装置は、ビーコン信号を受信することによって基地局装置の存在を認識し、基地局装置へ接続を要求する。経路の残量が大きい基地局装置からのビーコン信号の報知頻度が大きくなるので、端末装置は、そのような基地局装置を早期に認識できる。その結果、端末装置は、そのような基地局装置へ接続を要求しやすくなる。
【００１７】
図１は、本発明の実施例に係る照明システム１００の概要を示す。照明システム１００は、制御装置１０、端末装置１２と総称される第１端末装置１２ａ、第２端末装置１２ｂ、第３端末装置１２ｃ、第４端末装置１２ｄ、第Ｎ端末装置１２ｎ、基地局装置１４と総称される第１基地局装置１４ａ、第２基地局装置１４ｂ、第３基地局装置１４ｃ、第Ｍ基地局装置１４ｍ、第Ｍ＋１基地局装置１４ｍ＋１、照明装置１６と総称される第１照明装置１６ａ、第２照明装置１６ｂ、第３照明装置１６ｃ、第Ｍ照明装置１６ｍ、第Ｍ＋１照明装置１６ｍ＋１、第Ｍ＋２照明装置１６ｍ＋２、第Ｍ＋３照明装置１６ｍ＋３、第Ｍ＋４照明装置１６ｍ＋４、第Ｍ＋Ｎ＋１照明装置１６ｍ＋ｎ＋１を含む。
【００１８】
制御装置１０は、ユーザからの指示を受けつけ可能なインターフェイスを備えており、受けつけた指示に応じた情報（以下、「指示情報」という）を生成し、生成した情報を照明システム１００全体に出力する。したがって、指示情報の出力は報知に相当する。指示の一例が、後述の照明装置１６を点灯させるための指示であり、生成した指示情報の一例が、照明装置１６の点灯の指示が示された情報である。これは、前述の点灯指示に相当する。制御装置１０は、例えば、ＰＣによって構成される。また、制御装置１０は、端末装置１２や基地局装置１４を介して、各照明装置１６に関する情報を収集する。各照明装置１６に関する情報とは、例えば、照明装置１６の蓄電池の残量についての情報である。
【００１９】
端末装置１２は、無線ＬＡＮの端末装置に相当し、基地局装置１４は、無線ＬＡＮの基地局装置に相当する。複数の基地局装置１４が基地局間通信を実行するとともに、複数の端末装置１２のそれぞれは、いずれかの基地局装置１４に接続される。複数の基地局装置１４のうち、第Ｍ＋１基地局装置１４ｍ＋１が、制御装置１０に接続され、制御装置１０からの指示情報を受けつける。第Ｍ＋１基地局装置１４ｍ＋１は、指示情報が含まれたパケット信号を、複数の基地局装置１４のうちの別のひとつ、例えば、第３基地局装置１４ｃに送信する。なお、基地局装置１４の代わりに、端末装置１２が、制御装置１０に接続されていてもよい。
【００２０】
第３基地局装置１４ｃは、基地局間通信を使用して、他の基地局装置１４へパケット信号を転送する。また、第３基地局装置１４ｃは、直接接続した端末装置１２、例えば、第４端末装置１２ｄに対してもパケット信号を送信する。さらに、第３基地局装置１４ｃは、パケット信号に含まれた指示情報の内容に応じて、後述の照明装置１６を制御する。他の基地局装置１４も同様に動作する。第１端末装置１２ａから第Ｎ端末装置１２ｎは、基地局装置１４からのパケット信号を受信する。これらの端末装置１２も、パケット信号に含まれた指示情報の内容に応じて、後述の照明装置１６を制御する。
【００２１】
照明装置１６は、太陽光発電装置を備え、発電した電力を蓄電池に蓄えさせる。また、照明装置１６は、充電された電力によって、照明を点灯させる。ここで、照明装置１６は、端末装置１２あるいは基地局装置１４に接続されており、端末装置１２あるいは基地局装置１４からの指示をもとに、照明を点灯させたり、消灯させたりする。また、照明装置１６には、撮像装置が備えており、動画像や静止画像（以下、これらを「画像」と総称する）を撮像してもよい。なお、照明装置１６の蓄電池に充電された電力によって、端末装置１２や基地局装置１４も駆動される。端末装置１２と基地局装置１４との一方と照明装置１６との組合せが、前述の街路灯に相当する。
【００２２】
端末装置１２や基地局装置１４は、照明装置１６における蓄電池の残量に関する情報や画像をパケット信号に含めて送信する。これらのパケット信号は、指示情報が含まれたパケット信号とは逆の経路をたどるように転送され、制御装置１０に受信される。その結果、制御装置１０は、各照明装置１６における蓄電池の残量に関する情報を管理することができる。また、制御装置１０は、各照明装置１６において撮像された画像を取得することができる。
【００２３】
図２（ａ）−（ｂ）は、照明装置１６の構成を示す。図２（ａ）において、照明装置１６は、ソーラパネル２０、蓄電池２２、照明部２４、撮像装置２６、制御部２８を含む。ソーラパネル２０は、前述の太陽光発電装置に相当し、太陽光を受けて発電を実行する。蓄電池２２は、ソーラパネル２０において発電された電力を蓄える。蓄電池２２は、照明装置１６全体に電力を供給するとともに、接続された端末装置１２あるいは基地局装置１４にも電力を供給する。ソーラパネル２０および蓄電池２２には公知の技術が使用されればよいので、ここでは説明を省略する。
【００２４】
照明部２４は、制御部２８からの指示をもとに、点灯したり消灯したりする。なお、点滅してもよい。制御部２８は、図示しない端末装置１２や基地局装置１４から、照明部２４の点灯や消灯の指示を受けつける。制御部２８は、受けつけた指示に応じて、照明部２４の動作を制御する。また、制御部２８は、ソーラパネル２０での発電量や、蓄電池２２の残量を取得し、図示しない端末装置１２や基地局装置１４へ残量に関する情報を報告する。ここで、制御部２８は、定期的に発電量や残量を取得してもよいし、図示しない端末装置１２や基地局装置１４からの指示に応じて発電量や残量を取得してもよい。
【００２５】
撮像装置２６は、画像を撮像する。画像は、デジタルデータとして取得される。撮像装置２６は、定期的に撮像を実行してもよいし、図示しない端末装置１２や基地局装置１４からの指示に応じて撮像を実行してもよい。また、撮像装置２６は、制御部２８を介して、図示しない端末装置１２や基地局装置１４へ画像を出力してもよいし、内蔵の記憶媒体に画像を記憶してもよい。なお、図２（ｂ）の照明装置１６に示すように、図２（ａ）の構成から撮像装置２６を省略してもよい。これにより、照明装置１６の構成が簡単になる。
【００２６】
この構成は、ハードウエア的には、任意のコンピュータのＣＰＵ、メモリ、その他のＬＳＩで実現でき、ソフトウエア的にはメモリにロードされた通信機能のあるプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００２７】
図３は、制御装置１０の構成を示す。制御装置１０は、通信部３０、管理部３２、指示部３６、記憶部３８、収集部４０、制御部４２を含む。通信部３０は、後述の指示部３６において生成したパケット信号を受けつける。通信部３０は、図１の第Ｍ＋１基地局装置１４ｍ＋１にケーブルや無線ＬＡＮ等で接続されており、第Ｍ＋１基地局装置１４ｍ＋１へパケット信号を送信する。前述のごとく、第Ｍ＋１基地局装置１４ｍ＋１は、基地局間通信によって他の基地局装置１４へパケット信号を送信するので、パケット信号は、少なくともひとつの基地局装置１４を経由して複数の端末装置１２へ送信される。そのため、通信部３０におけるパケット信号の送信は、パケット信号の報知ともいえる。
【００２８】
通信部３０は、第Ｍ＋１基地局装置１４ｍ＋１からのパケット信号を受信する。当該パケット信号には、図示しない照明装置１６にて取得された蓄電池２２の残量に関する情報や、図示しない照明装置１６にて撮像された画像が含まれている。前述のごとく、当該パケット信号は、端末装置１２や基地局装置１４によって転送されることによって、通信部３０に到達している。通信部３０は、蓄電池２２の残量に関する情報や、画像を収集部４０へ出力する。
【００２９】
収集部４０は、通信部３０から、蓄電池２２の残量に関する情報や、画像を受けつける。つまり、収集部４０は、各基地局装置１４から、当該基地局装置１４を駆動させている蓄電池２２の残量に関する情報を収集する。端末装置１２を駆動させている蓄電池２２の残量に関する情報についても同様である。収集部４０は、蓄電池２２の残量に関する情報を照明装置１６単位で管理するために、これらの情報を記憶部３８に記憶させる。また、収集部４０は、画像を照明装置１６単位で記憶部３８に記憶させる。
【００３０】
記憶部３８は、収集部４０からの指示に応じて、さまざまな情報や画像を記憶するための記憶媒体である。情報や画像はデジタルデータであるので、記憶部３８は例えばハードディスクにて構成される。図４は、記憶部３８に記憶されたテーブルのデータ構造を示す。図示のごとく、装置欄２００、残量欄２０２、経路欄２０４が含まれる。装置欄２００には、管理対象となる基地局装置１４であって、かつ照明装置１６に接続された基地局装置１４が示されている。また、装置欄２００には、管理対象となる端末装置１２であって、かつ照明装置１６に接続された端末装置１２も示されている。残量欄２０２には、装置欄２００に示された基地局装置１４や端末装置１２に接続された蓄電池２２の残量が示される。経路欄２０４には、装置欄２００に示された基地局装置１４や端末装置１２から制御装置１０へ至る経路についての情報が示される。経路についての管理は、管理部３２によってなされる。図３に戻る。
【００３１】
管理部３２は、通信部３０を介して、基地局間通信の経路を管理する。基地局間通信の経路とは、所定の基地局装置１４と図１の第Ｍ＋１基地局装置１４ｍ＋１とを結ぶ経路である。基地局間通信の経路は、公知の技術によって、複数の基地局装置１４間で設定される。管理部３２は、図１の第Ｍ＋１基地局装置１４ｍ＋１から設定内容を受けつける。管理部３２は、経路に関する情報を記憶部３８に記憶させる。また、管理部３２は、記憶部３８に記憶されたテーブルをもとに、残量がしきい値よりも小さくなっている基地局装置１４を特定する。管理部３２は、特定した基地局装置１４に接続された端末装置１２を別の基地局装置１４に接続させたり、特定した基地局装置１４を回避するような経路を設定したりする。管理部３２は、処理結果を指示部３６へ出力する。
【００３２】
指示部３６は、管理部３２から処理結果を受けつける。指示部３６は、処理結果の実行を指示するためのパケット信号を生成し、パケット信号を通信部３０へ出力する。ここで、パケット信号は、マルチキャスト送信されるので、パケット信号の宛先は、照明システム１００に含まれた基地局装置１４と端末装置１２である。なお、管理部３２は、特定した基地局装置１４に関する情報を指示部３６へ出力し、指示部３６は、特定された基地局装置１４の残量が少なくなっている旨をパケット信号に含めてもよい。その際、照明システム１００に含まれた基地局装置１４と端末装置１２は、パケット信号に含まれた情報をもとに、特定した基地局装置１４に接続された端末装置１２を別の基地局装置１４に接続させたり、特定した基地局装置１４を回避するような経路を設定したりする処理を自律的に実行する。
【００３３】
制御部４２は、制御装置１０全体の動作を制御する。また、制御部４２は、ユーザとのインターフェイスを備え、インターフェイスを介してユーザからの指示を受けつける。前述のごとく、ユーザからの指示の一例が、図示しない照明装置１６の照明部２４を点灯すべき時刻に関する情報であり、図示しない照明装置１６の照明部２４を消灯すべき時刻に関する情報であってもよい。ここでは、説明を容易にするために、指示は、照明部２４の動作に関する指示であるとする。消灯の場合は、図２（ａ）−（ｂ）の照明部２４における動作が異なるだけであり、それ以外では、点灯の場合と同様の動作が実行される。
【００３４】
図５は、基地局装置１４の構成を示す。基地局装置１４は、通信部６０、処理部６２、管理部６６、制御部７２、取得部７４、導出部７６、決定部７８を含む。基地局装置１４は、太陽光発電によって発電された電力を充電した蓄電池２２に接続され、かつ蓄電池２２によって駆動される。通信部６０は、基地局間通信によって他の基地局装置１４と通信するとともに、少なくともひとつの端末装置１２とも通信可能である。通信部６０は、周波数変換処理、変復調処理、増幅処理、ＡＤ変換処理、ＤＡ変換処理等を実行するが、これらには公知の技術が使用されればよいので、ここでは説明を省略する。このような処理によって、通信部６０は、パケット信号を受信するとともに、パケット信号を送信する。このようなパケット信号には、例えば、点灯指示が含まれている。
【００３５】
処理部６２は、図示しない照明装置１６へ接続され、照明装置１６に対する処理を実行する。処理部６２は、通信部６０において受信した点灯指示を受けつける。処理部６２は、点灯指示をもとに、照明装置１６へ点灯を指示する。処理部６２は、蓄電池２２の残量に関する情報の出力や、画像の出力を照明装置１６に指示する。処理部６２は、蓄電池２２の残量に関する情報や、画像を照明装置１６から受けつけると、蓄電池２２の残量に関する情報や画像が含まれたパケット信号の生成を通信部６０へ指示する。なお、基地局装置１４が、図１の第Ｍ＋１基地局装置１４ｍ＋１に相当する場合、処理部６２は、図示しない制御装置１０とのインターフェイス機能を実行する。
【００３６】
管理部６６は、通信部６０と通信している端末装置１２の情報や、基地局間通信の経路に関する情報を管理する。管理部６６は、基地局間通信の経路が変更された場合などに、情報を更新する。取得部７４は、管理部６６から、基地局間通信の経路に含まれた他の基地局装置１４に関する情報を取得する。ここで、経路には、複数の基地局装置１４が含まれていることもある。取得部７４は、処理部６２、通信部６０を介して、複数の基地局装置１４のそれぞれに対して、残量に関する情報を通知させるための指示が含まれたパケット信号を送信する。その後、取得部７４は、複数の基地局装置１４のそれぞれから、基地局装置１４を駆動させている蓄電池２２の残量に関する情報を取得する。
【００３７】
その際、本基地局装置１４と直接通信できない基地局装置１４からのパケット信号は、それらの間の基地局装置１４によって転送される。このような転送には公知の技術が使用されればよい。図６は、取得部７４に記憶されたテーブルのデータ構造を示す。図示のごとく、基地局装置欄２１０、残量欄２１２が含まれる。基地局装置欄２１０には、経路に含まれる基地局装置１４が示される。残量欄２１２には、基地局装置欄２１０に示された基地局装置１４に対応した残量が示される。なお、テーブルに、本基地局装置１４を駆動している蓄電池２２の残量が示されてもよい。その際、取得部７４は、処理部６２を介して、図示しない照明装置１６から残量に関する情報も取得している。図５に戻る。取得部７４は、テーブルを更新したときに、その旨を導出部７６に通知する。
【００３８】
導出部７６は、取得部７４からの通知を受けつけると、取得部７４に記憶されたテーブルから、残量に関する情報を抽出する。ここでは、複数の基地局装置１４のそれぞれに対する残量が抽出される。導出部７６は、抽出した情報をもとに、経路の残量を導出する。具体的に説明すると、導出部７６は、複数の残量に関する情報のうちのひとつを選択する。例えば、導出部７６は、複数の残量に関する情報のうち、最小の残量を選択する。また、導出部７６は、選択した残量を経路の残量とする。なお、最小の残量の代わりに、最大の残量が選択されてもよい。あるいは、導出部７６は、複数の残量の値に対する統計処理値を導出する。例えば、導出部７６は、複数の残量の値に対する平均値を導出する。その際、導出部７６は、統計処理値を経路の残量とする。なお、平均値の代わりに、中央値等であってもよい。導出部７６は、導出した経路の残量を決定部７８へ出力する。
【００３９】
決定部７８は、導出部７６から、経路の残量を受けつける。決定部７８は、経路の残量をもとに、ビーコン信号の報知周期を決定する。ここで、決定部７８は、報知周期を決定するためのテーブルを予め記憶する。図７は、決定部７８に記憶されたテーブルのデータ構造を示す。図示のごとく、残量に対するしきい値欄２２０、報知周期欄２２２が含まれる。残量に対するしきい値欄２２０には、しきい値Ｅ１、Ｅ２、Ｅ３が示されている。ここでは、Ｅ１＞Ｅ２＞Ｅ３であるとする。報知周期欄２２２には、ビーコン信号の報知周期の値が示されている。ここでは、Ｆ１＜Ｆ２＜Ｆ３であるとする。このようなテーブルによって、残量が大きくなるほど、報知周期が短くなる。また、残量が小さくなるほど、報知周期が長くなる。さらに、残量がしきい値Ｅ３よりも小さくなると、ビーコン信号の報知が停止される。図５に戻る。決定部７８は、テーブルに示されたしきい値と、経路の残量とを比較することによって報知周期を決定する。決定部７８は、報知周期を通信部６０へ出力する。
【００４０】
処理部６２は、ビーコン信号を生成し、ビーコン信号を通信部６０へ出力する。通信部６０は、決定部７８において決定した報知周期にて、ビーコン信号を報知する。図８は、通信部６０から送信されるビーコン信号のフォーマットを示す。フレーム制御、デュレーション／ＩＤ、宛先アドレス、送信元アドレス、ＢＢＳＩＤ、シーケンス制御、フレーム・ボディ、ＦＣＳが配置される。ここで、宛先アドレス、送信元アドレスは、ＭＡＣアドレスとして示される。また、フレーム・ボディは、端末装置１２に報知すべき情報に相当する。図５に戻る。制御部７２は、基地局装置１４全体の動作タイミングを制御する。
【００４１】
図９は、端末装置１２の構成を示す。端末装置１２は、通信部８０、処理部８２、管理部８４、制御部８６を含む。端末装置１２は、太陽光発電によって発電された電力を充電した蓄電池２２に接続され、かつ蓄電池２２によって駆動される。通信部８０は、図５の通信部６０と同様の処理を実行する。なお、通信部８０は、通信部６０と異なって基地局間通信を実行しない。ここで、通信部８０の通信対象は、基地局装置１４である。
【００４２】
つまり、通信部８０は、基地局間通信を実行可能な基地局装置１４と通信し、基地局装置１４からの基地局間通信によって形成される経路を介して、制御装置１０と通信する。このようにして、通信部８０は、基地局装置１４からのパケット信号を受信する。パケット信号には、例えば、点灯指示が含まれる。また、通信部８０は、基地局装置１４へパケット信号を送信する。
【００４３】
処理部８２は、図５の処理部６２と同様の処理を実行する。通信部８０は、基地局装置１４からのビーコン信号を受信する。処理部８２は、ビーコン信号に含まれたＢＢＳＩＤをもとに、報知元の基地局装置１４に接続可能であるかを判定する。接続可能である場合、処理部８２は、通信部８０に対して、基地局装置１４との接続処理を実行させる。接続処理として公知の技術が使用される。管理部８４は、通信部８０での通信対象を制御する。制御部８６は、端末装置１２全体の動作タイミングを制御する。
【００４４】
以上の構成による照明システム１００の動作概要を説明する。図１０は、照明システム１００による通信手順を示すシーケンス図である。ここで、端末装置１２が、照明システム１００に新たに加入しようとしており、その周囲に第１基地局装置１４ａと第５基地局装置１４ｅとが設置されている。また、第１基地局装置１４ａから第Ｍ＋１基地局装置１４ｍ＋１までの経路と、第５基地局装置１４ｅから第Ｍ＋１基地局装置１４ｍ＋１までの経路とは異なっているものとする。第１基地局装置１４ａは、報知周期を決定し（Ｓ１０）、第５基地局装置１４ｅも、報知周期を決定する（Ｓ１２）。ここで、第１基地局装置１４ａによって導出された経路の残量が、第５基地局装置１４ｅによって導出された経路の残量よりも多かったとする。第１基地局装置１４ａは、ビーコン信号を報知する（Ｓ１４）。端末装置１２は、ビーコン信号をもとに、接続先を第１基地局装置１４ａに決定する（Ｓ１６）。第１基地局装置１４ａと端末装置１２とは、接続処理を実行する（Ｓ１８）。第１基地局装置１４ａと端末装置１２とは、通信を実行する（Ｓ２０）。その後、第５基地局装置１４ｅは、ビーコン信号を報知する（Ｓ２２）。
【００４５】
次に変形例を説明する。変形例は、実施例と同様に、基地局装置と端末装置とが含まれた照明システムに関する。実施例では、複数の基地局装置の蓄電池における残量をもとに、経路の残量を導出し、経路の残量をもとに報知周期を決定している。一方、変形例は、実施例よりも基地局装置の処理を簡易にすることを目的とする。変形例に係る基地局装置は、蓄電池の残量を取得する。また、基地局装置は、残量をもとに報知周期を決定する。つまり、変形例に係る基地局装置は、他の基地局装置における蓄電池の残量を使用せずに、報知周期を決定する。変形例に係る照明システム１００は図１と同様のタイプであり、制御装置１０は図３と同様のタイプであり、端末装置１２は図９と同様のタイプである。以下では、実施例との差異を中心に説明する。
【００４６】
図１１は、本発明の変形例に係る基地局装置１４の構成を示す。基地局装置１４では、図５の基地局装置１４と比較して、導出部７６が含まれない。取得部７４は、処理部６２を介して、図示しない照明装置１６の蓄電池２２における残量に関する情報を取得する。取得部７４は、残量に関する情報を決定部７８へ出力する。決定部７８は、取得部７４から、残量に関する情報を受けつける。決定部７８は、残量をもとに、ビーコン信号の報知周期を決定する。ビーコン信号の報知周期を決定するための決定部７８の処理は、実施例と同様であるので、ここでは説明を省略する。通信部６０は、決定部７８において決定した報知周期にて、ビーコン信号を報知する。
【００４７】
次に別の変形例を説明する。別の変形例は、これまでと同様に、基地局装置と端末装置とが含まれた照明システムに関する。これまでは、残量に応じて報知周期を変更していたが、別の変形例では、報知周期を変更させない。前述のごとく、残量の通知は、既に規定されている信号によってなされることが望ましい。これに対応するために、別の変形例に係る基地局装置は、接続処理のためにビーコン信号に挿入すべきＢＳＳＩＤ（以下、「第１ＢＳＳＩＤ」という）とは別のＢＳＳＩＤ（以下、「第２ＢＳＳＩＤ」という）を規定する。第２ＢＢＳＩＤは、残量に応じて変わるように定められており、残量の値と第２ＢＢＳＩＤの値とは、１対１で予め定められている。つまり、第２ＢＢＳＩＤを取得すれば、蓄電池の残量が理解される。基地局装置は、ビーコン信号に第１ＢＢＳＩＤを挿入せず、第２ＢＢＳＩＤを挿入する。
【００４８】
端末装置は、ビーコン信号を受信すると、第２ＢＢＳＩＤをもとに残量を推定する。また、端末装置は、ビーコン信号に含まれた送信元アドレスを抽出する。端末装置は、送信元アドレスであるＭＡＣアドレスと第１ＢＳＳＩＤとの対応を予め記憶しており、抽出した下送信元アドレスから第１ＢＳＳＩＤを特定する。端末装置は、残量の大きな基地局装置を選択し、当該基地局装置に対して、第１ＢＳＳＩＤを使用して接続処理を実行する。別の変形例に係る照明システム１００は図１と同様のタイプであり、制御装置１０は図３と同様のタイプであり、端末装置１２は図９と同様のタイプである。以下では、これまでとの差異を中心に説明する。
【００４９】
図１２は、本発明の別の変形例に係る基地局装置１４の構成を示す。基地局装置１４は、通信部６０、処理部６２、管理部６６、制御部７２を含み、処理部６２は、設定部１１０、生成部１１２を含む。処理部６２は、図１１の取得部７４と同様に、図示しない照明装置１６の蓄電池２２における残量に関する情報を取得する。あるいは、処理部６２は、図５の取得部７４、導出部７６と同様に、経路の残量を導出してもよい。ここでは、蓄電池２２における残量と経路の残量とを区別せずに単に残量というものとする。処理部６２は、残量を設定部１１０に出力する。
【００５０】
設定部１１０は、処理部６２から受けつけた残量をもとに、第１ＢＳＳＩＤとは異なった第２ＢＳＳＩＤを設定する。第１ＢＳＳＩＤとは、前述のごとく、接続処理に使用される識別子であり、本基地局装置１４を識別するための識別子ともいえる。図１３は、設定部１１０に記憶されたテーブルのデータ構造を示す。図示のごとく、残量欄２３０、第２ＢＢＳＩＤ欄２３２が含まれる。残量欄２３０には、処理部６２から受けつけうる残量が示される。第２ＢＢＳＩＤ欄２３２には、残量に対応した第２ＢＳＳＩＤが示されている。図１２に戻る。設定部１１０は、テーブルをもとに、残量から第２ＢＳＳＩＤを特定する。設定部１１０は、第２ＢＳＳＩＤを生成部１１２へ出力する。
【００５１】
生成部１１２は、設定部１１０から、第２ＢＳＳＩＤを受けつける。生成部１１２は、図８に示されたビーコン信号を生成する。ここで、生成部１１２は、図８のＢＢＳＩＤの領域に、第２ＢＢＳＩＤを挿入する。一方、生成部１１２は、ビーコン信号に第１ＢＳＳＩＤを含めない。また、生成部１１２は、図８の送信元アドレスの領域に、本基地局装置１４に付与されたＭＡＣアドレスを挿入する。さらに、生成部１１２は、図８のフレーム・ボディの領域に、端末装置１２に通知すべき情報を挿入する。生成部１１２は、通信部６０にビーコン信号を報知させる。
【００５２】
図９に示された端末装置１２の通信部８０は、ビーコン信号を順次受信する。処理部８２は、各ビーコン信号から第２ＢＳＳＩＤと送信アドレスを抽出する。処理部８２は、送信アドレスであるＭＡＣアドレスと第１ＢＳＳＩＤとの対応を予め記憶する。図１４は、本発明の別の変形例に係る端末装置１２の処理部８２に記憶されたテーブルのデータ構造を示す。図示のごとく、送信元アドレス欄２４０、第１ＢＢＳＩＤ欄２４２が含まれる。送信元アドレス欄２４０には、送信元アドレスであるＭＡＣアドレスが示されており、第１ＢＢＳＩＤ欄２４２には、送信元アドレス欄２４０のＭＡＣアドレスに対応した第１ＢＳＳＩＤが示されている。ここでは、当該端末装置１２が接続可能な第１ＢＳＳＩＤのみがテーブルに含まれているものとする。図９に戻る。
【００５３】
処理部８２は、テーブルをもとに、ＭＡＣアドレスを第１ＢＳＳＩＤに変換する。なお、ＭＡＣアドレスがテーブルに示されていない場合、処理部８２は、当該ＭＡＣアドレスが含まれたビーコン信号を破棄する。また、処理部８２は、第２ＢＳＳＩＤをもとに、基地局装置１４における蓄電池２２の残量あるいは経路の残量を特定する。さらに、処理部８２は、変換した第１ＢＳＳＩＤのうち、残量が最大のものを選択する。つまり、処理部８２は、ビーコン信号に含まれたＭＡＣアドレスから基地局装置１４の第１ＢＳＳＩＤを特定する。端末装置１２の処理部８２と基地局装置１４の処理部６２とは、第１ＢＳＳＩＤによる接続処理を実行する。接続処理として公知の技術が使用されればよい。
【００５４】
図１５は、本発明の別の変形例に係る端末装置１２による通信手順を示すフローチャートである。通信部８０は、複数のビーコン信号を受信する（Ｓ５０）。ビーコン信号の中に記憶されていないＭＡＣアドレスがあれば（Ｓ５２のＹ）、処理部８２は、記憶されていないＭＡＣアドレスが含まれたビーコン信号を破棄する（Ｓ５４）。一方、ビーコン信号の中に記憶されていないＭＡＣアドレスがなければ（Ｓ５２のＮ）、ステップ５４はスキップされる。処理部８２は、最大残量に対応した第２ＢＳＳＩＤが含まれたビーコン信号を選択する（Ｓ５６）。処理部８２は、第１ＢＳＳＩＤを特定する（Ｓ５８）。処理部８２、通信部８０は、第１ＢＳＳＩＤを使用して接続処理を実行する（Ｓ６０）。
【００５５】
次にさらに別の変形例を説明する。さらに別の変形例は、これまでと同様に、基地局装置と端末装置とが含まれた照明システムに関する。さらに別の変形例に係る基地局装置は、別の変形例と同様に、第１ＢＳＳＩＤの代わりに、第２ＢＳＳＩＤをビーコン信号に挿入する。一方、さらに別の変形例に係る基地局装置は、別の変形例とは異なり、制御装置までのホップ数を第２ＢＢＳＩＤに反映させる。端末装置は、第２ＢＢＳＩＤをもとに、ホップ数が小さくなるような基地局装置を選択する。別の変形例に係る照明システム１００は図１と同様のタイプであり、制御装置１０は図３と同様のタイプであり、基地局装置１４は図１２と同様のタイプであり、端末装置１２は図９と同様のタイプである。以下では、これまでとの差異を中心に説明する。
【００５６】
図１２の処理部６２は、通信部６０を介して、第Ｍ＋１基地局装置１４ｍ＋１までの経路におけるホップ数に関する情報を取得する。これは、本基地局装置１４から制御装置１０までの経路のホップ数ともいえる。なお、ホップ数の取得のために、基地局間通信における公知の技術が使用されればよいので、ここでは説明を省略する。処理部６２は、ホップ数に関する情報を設定部１１０に出力する。
【００５７】
設定部１１０は、処理部６２から受けつけたホップ数に関する情報をもとに、第１ＢＳＳＩＤとは異なった第２ＢＳＳＩＤを設定する。図１６は、本発明のさらに別の変形例に係る基地局装置１４の設定部１１０に記憶されたテーブルのデータ構造を示す。図示のごとく、ホップ数欄２３４、第２ＢＢＳＩＤ欄２３２が含まれる。ホップ数欄２３４には、処理部６２から受けつけうるホップ数が示される。第２ＢＢＳＩＤ欄２３２には、残量に対応した第２ＢＳＳＩＤが示されている。図１２に戻る。設定部１１０は、テーブルをもとに、ホップ数から第２ＢＳＳＩＤを特定する。設定部１１０は、第２ＢＳＳＩＤを生成部１１２へ出力する。生成部１１２の処理はこれまでと同様である。図９に示された端末装置１２の通信部８０、処理部８２は、これまでと同様の処理を実行する。ここで、処理部８２は、ホップ数が最小になっている第１ＢＳＳＩＤを選択する。これに続く、処理部８２および処理部６２の処理も、これまでと同様である。
【００５８】
本発明の実施例によれば、経路の残量に応じてビーコン信号の報知周期を変更するので、ビーコン信号の内容を変更しなくても、経路の残量に関する情報を通知できる。また、経路の残量が大きくなるほど、報知周期を短くするので、ビーコン信号を受信させやすくできる。また、ビーコン信号が受信されやすくなるので、残量が大きい経路を選択させやすくできる。残量が大きい経路が選択されやすくなるので、基地局間通信を安定して維持できる。また、経路における残量として、複数の蓄電池の残量に対する平均値を使用するので、経路における残量を容易に導出できる。また、経路における残量として、複数の蓄電池の残量のうちの最小値を選択するので、経路における残量を容易に導出できる。
【００５９】
また、蓄電池の残量に応じてビーコン信号の報知周期を変更するので、ビーコン信号の内容を変更しなくても、蓄電池の残量に関する情報を通知できる。また、蓄電池の残量が大きくなるほど、報知周期を短くするので、ビーコン信号を受信させやすくできる。また、蓄電池の残量を使用するので、処理を簡易にできる。また、残量がしきい値よりも小さくなると、ビーコン信号の報知を停止するので、基地局装置の駆動期間を延長できる。また、ビーコン信号の報知周期を変更するだけなので、無線ＬＡＮにおいて規定された信号フォーマットの変更を少なくしながら、基地局装置に関する情報を端末装置へ通知できる。
【００６０】
また、基地局装置を識別するための第１ＢＳＳＩＤとは異なった第２ＢＳＳＩＤを使用するので、ＢＳＳＩＤによって情報を送信できる。また、残量をもとに第２ＢＳＳＩＤを変更するので、ビーコン信号のフォーマットを変更せずに、残量に関する情報をビーコン信号にて送信できる。また、残量を第２ＢＳＳＩＤに反映させるので、残量を正確に通知できる。また、ビーコン信号には、基地局装置のＭＡＣアドレスを含めるので、ビーコン信号の送信元を明確にできる。また、ビーコン信号の送信元が明確にされるので、端末装置は、第１ＢＳＳＩＤを特定できる。また、第１ＢＳＳＩＤが特定されるので、第１ＢＳＳＩＤを使用した接続処理が実行できる。また、ホップ数をもとに第２ＢＳＳＩＤを変更するので、ビーコン信号のフォーマットを変更せずに、ホップ数に関する情報をビーコン信号にて送信できる。また、ホップ数を第２ＢＳＳＩＤに反映させるので、ホップ数を正確に通知できる。
【００６１】
以上、本発明を実施例をもとに説明した。この実施例は例示であり、それらの各構成要素や各処理プロセスの組合せにいろいろな変形例が可能なこと、またそうした変形例も本発明の範囲にあることは当業者に理解されるところである。
【００６２】
本発明のさらに別の変形例において、基地局装置１４から報知されるビーコン信号によって、ホップ数に関する情報が通知されている。しかしながらこれに限らず例えば、基地局装置１４から報知されるビーコン信号によって、ホップ数に関する情報に加えて、残量に関する情報が通知されてもよい。その場合、図１２の基地局装置１４と図１５の基地局装置１４とが組み合わされた構成になる。図５の取得部７４は、基地局間通信によって形成された経路に含まれた各基地局装置１４を駆動させている蓄電池の残量に関する情報を取得する。導出部７６は、取得部７４において取得した情報をもとに、経路の残量を導出する。前述のごとく、その際、平均等の演算がなされる。決定部７８は、導出部７６において導出した残量をもとに、ビーコン信号の報知周期を決定する。ここで、決定部７８は、残量がしきい値よりも小さくなると、ビーコン信号の報知停止を決定してもよい。通信部６０は、決定部７８において決定した報知周期にて、ビーコン信号を報知する。
【００６３】
一方、図１２の基地局装置１４と図１１の基地局装置１４とが組み合わされた構成であってもよい。図５の取得部７４は、蓄電池２２の残量に関する情報を取得する。決定部７８は、取得部７４において取得した残量に関する情報をもとに、ビーコン信号の報知周期を決定する。通信部６０は、決定部７８において決定した報知周期にて、ビーコン信号を報知する。本変形例によれば、残量とホップ数とを同時に通知できる。
【符号の説明】
【００６４】
１０  制御装置、  １２  端末装置、  １４  基地局装置、  １６  照明装置、  ２０  ソーラパネル、  ２２  蓄電池、  ２４  照明部、  ２６  撮像装置、  ２８  制御部、  ３０  通信部、  ３２  管理部、  ３６  指示部、  ３８  記憶部、  ４０  収集部、  ４２  制御部、  ６０  通信部、  ６２  処理部、  ６６  管理部、  ７２  制御部、  ７４  取得部、  ７６  導出部、  ７８  決定部、  １００  照明システム、  １１０  設定部、  １１２  生成部。
【図１】
2011223550.tif 000003
【図２】
2011223550.tif 000004
【図３】
2011223550.tif 000005
【図４】
2011223550.tif 000006
【図５】
2011223550.tif 000007
【図６】
2011223550.tif 000008
【図７】
2011223550.tif 000009
【図８】
2011223550.tif 000010
【図９】
2011223550.tif 000011
【図１０】
2011223550.tif 000012
【図１１】
2011223550.tif 000013
【図１２】
2011223550.tif 000014
【図１３】
2011223550.tif 000015
【図１４】
2011223550.tif 000016
【図１５】
2011223550.tif 000017
【図１６】
2011223550.tif 000018